(57)【要約】【課題】長時間着用しても皮膚のトラブルを起こすおそれがなく、外観の美しさを保つことができる粘着式ブラジャーを提供する。【解決手段】１対のブラカップ１０と該ブラカップ１０を接続するコネクタ１６を有し、ブラカップ１０の内側表面に粘着層１５を形成した粘着式ブラジャーにおいて、ブラカップ１０は表生地と内側生地の間に中材を介設する構成からなり、ブラカップの内側生地に通気孔１４を備え、粘着層１５はブラカップ１０の内側生地にシリコン接着剤を接合させて形成する。【選択図】図１
0003166801.tif 000002
【実用新案登録請求の範囲】
【請求項１】
１対のブラカップと該ブラカップを接続するコネクタを有し、前記ブラカップの内側表面に粘着層を形成した粘着式ブラジャーにおいて、前記ブラカップは表生地と内側生地の間に中材を介設する構成からなり、前記ブラカップの前記内側生地に通気手段を備え、前記粘着層は前記ブラカップの前記内側生地にシリコン接着剤を接合させて形成することを特徴とする粘着式ブラジャー。
【請求項２】
前記ブラカップの前記内側生地に多数の通気孔を設けることを特徴とする請求項１に記載の粘着式ブラジャー。
【請求項３】
前記ブラカップの表生地及び内側生地にポリエステルを使用し、前記中材にポリウレタンを使用することを特徴とする請求項１又は請求項２に記載の粘着式ブラジャー。
【請求項４】
前記ブラカップの頂部付近の前記内側生地に前記粘着層を形成しない部分を設けることを特徴とする請求項１乃至請求項３のいずれか１項に記載の粘着式ブラジャー。
【請求項５】
前記ブラカップの前記内側表面に隆起部を形成することを特徴とする請求項１乃至請求項４のいずれか１項に記載の粘着式ブラジャー。
【考案の詳細な説明】
【技術分野】
【０００１】
本考案は、通気手段を備えた粘着式ブラジャーに関する。
【背景技術】
【０００２】
従来より、バストをプッシュアップしバストの谷間を強調するためのバックレス／ストラップレスブラを求める要望や、ブラジャーの位置ずれを心配することなしに所望の位置に位置づけするのを可能にする繰り返し使用可能な粘着材を有するブラジャーを求める要望がある。
例えば、特表２００５−５３４８２３号公報（特許文献１）には、ユーザーの肌（皮膚）に面する内側表面を有する１対のブラカップから成り、該ブラカップの内側表面は、ブラカップをユーザーの肌に取り付けるための感圧粘着層又は感圧接着層を含むことを特徴とする改良されたバックレス、ストラップレスブラを提供することを目的とし、各ブラカップは２層の布地層およびその間に介設されたフォーム材と、ユーザーの肌に面する凹状の内側表面として内側の前記布地層に接合された熱可塑性フィルム材と、該各ブラカップの縁から縁まで実質的に全体の前記内側表面上に該各ブラカップに対してユーザーの肌に対する粘着力より大きい粘着力で恒久的に接合されており、該ブラカップをユーザーのバストに貼着するための感圧粘着層とで構成されていることを特徴とするバックレス、ストラップレスブラの発明が提案されている。
しかし、上記の粘着式ブラジャーでは、２層の布地層およびその間に介設されたフォーム材と感圧粘着層との間において感圧粘着材料が浸透しないフィルム材又は布地材を内側の布地層に接合することにより、感圧粘着材料が内側の布地層にすら浸透するのを当該フィルム材又は布地材で防止する構成を採用しているため、ブラジャーの通気性が全くなく長時間着用時に皮膚のトラブルを起こすおそれがあるなどの問題を有している。
【０００３】
一方、実用新案登録第３１４３６８２号公報（特許文献２）には、使用者のバストの形状を美しく見せられるようにした粘着式のブラジャーを提供することを目的とし、カップ部の後面が使用者の皮膚に粘着するようにした肩紐やバックバンドがないブラジャーであって、カップ部の内部に人の指の力で曲げられるバスト保形用のワイヤー片を有するものとし、前後方向に延びる複数の通気孔を形成した発泡材をカップ部の内部に有するものとすることもできるブラジャーの考案が提案されている。
しかし、上記の粘着式ブラジャーでは、内部の発泡材に通気孔を設けているため、通気性は良くなるといえるが、発泡材の後面に粘着剤を塗布して後面粘着層を形成するので通気孔を通して前面生地層に粘着剤が浸透することにより、前面生地層が変質して外観の美しさを保つことが困難になる。
【先行技術文献】
【特許文献】
【０００４】
【特許文献１】特表２００５−５３４８２３号公報
【特許文献２】実用新案登録第３１４３６８２号公報
【考案の概要】
【考案が解決しようとする課題】
【０００５】
そこで、本考案は、従来の粘着式のブラジャーに改良を施して、長時間着用しても皮膚のトラブルを起こすおそれがなく、外観の美しさを保つことができる粘着式ブラジャーを提供することを目的とする。
【課題を解決するための手段】
【０００６】
上記の課題を解決するために、請求項１に記載の考案は、１対のブラカップと該ブラカップを接続するコネクタを有し、前記ブラカップの内側表面に粘着層を形成した粘着式ブラジャーにおいて、前記ブラカップは表生地と内側生地の間に中材を介設する構成からなり、前記ブラカップの前記内側生地に通気手段を備え、前記粘着層は前記ブラカップの前記内側生地にシリコン接着剤を接合させて形成することを特徴とする。
【０００７】
また、請求項２に記載の考案は、請求項１に記載の前記ブラカップの前記内側生地に多数の通気孔を設けることを特徴とする。
【０００８】
また、請求項３に記載の考案は、請求項１又は請求項２に記載の前記ブラカップの表生地及び内側生地にポリエステルを使用し、前記中材にポリウレタンを使用することを特徴とする。
【０００９】
また、請求項４に記載の考案は、請求項１乃至請求項３に記載の前記ブラカップの頂部付近の前記内側生地に前記粘着層を形成しない部分を設けることを特徴とする。
【００１０】
また、請求項５に記載の考案は、請求項１乃至請求項４に記載の前記ブラカップの前記内側表面に隆起部を形成することを特徴とする。
【考案の効果】
【００１１】
以上のように、本考案によれば、ブラカップは表生地と内側生地の間に中材を介設する構成からなり、ブラカップの内側生地に通気手段を備えるようにしたので、カップ部分の軽量化が図られるとともに通気性を良くすることができ、ブラカップの表生地にシリコン接着剤が浸透するのを防止して外観の美しさを保つことが可能になる。
【図面の簡単な説明】
【００１２】
【図１】本考案にかかる粘着式ブラジャーの第１実施形態を示す背面図である。
【図２】図１に示す粘着式ブラジャーの側断面図である。
【図３】本考案にかかる粘着式ブラジャーの第２実施形態を示す背面図である。
【図４】本考案にかかる粘着式ブラジャーの第３実施形態を示す背面図である。
【考案を実施するための形態】
【００１３】
以下、本考案の実施の形態について図面を参酌しながら説明する。なお、本考案にかかる粘着式ブラジャーは、以下の実施例に限定されるものではなく、ブラカップのデザインや形態等については適宜変更することができる。
【００１４】
本考案にかかる粘着式ブラジャーは、ブラカップが表生地と内側生地の間に中材を介設させる構成を採用することにより、カップ部分のボリュームアップと軽量化（カップ部分にシリコーンゴムを用いる場合に比べて着用時に非常に軽くなる）を可能とし、加えて、ブラカップの内側生地に通気手段を備えることにより、通気性を良くして長時間着用しても皮膚のトラブルを起こすおそれがなく、上記中材の存在により表生地にシリコン接着剤が浸透するのを防止して外観の美しさを保つことを特徴とする。
【００１５】
図１は本考案にかかる粘着式ブラジャーの第１実施形態を示す背面図、図２は図１に示す粘着式ブラジャーの側断面図である。
【００１６】
図１に示すように、粘着式ブラジャーは、肩ひもやバックバンドがなく使用者の胸に貼り付けて使用するタイプのもので、１対のブラカップ１０と、各ブラカップ１０を接続するコネクタ１６を有しており、各ブラカップ１０の内側表面には粘着層１５が形成されている。なお、コネクタ１６については、連結具に差し込んで左右のブラカップ１０を連結できればよく、形状は図示したものに限定されない。
【００１７】
ブラカップ１０は、図２に示すように、表生地１１と内側生地１３の間に中材１２を介設する構成からなる。ブラカップ１０の材質と製造方法については、例えば、表生地１１及び内側生地１３にポリエステルを使用し、中材１２にポリウレタンを使用し、表生地１１と中材１２と内側生地１３を圧着成型するものが好例として挙げられる。
【００１８】
ブラカップ１０の内側生地１３には、図１及び図２に示すように、シリコン接着剤が接合されている。シリコン接着剤は、繰り返し皮膚に粘着させたり剥がしたりすることが可能なもので、粘着層１５は内側生地１３にシリコン接着剤を塗布して熱で乾燥させて形成される。
【００１９】
ブラカップ１０の内側生地１３には、図１及び図２に示すように、多数の通気孔１４が設けられている。この粘着式ブラジャーは、通気孔１４により通気性がよくなっているため、使用者の皮膚が汗で蒸れにくくなり、快適な使用感が得られる。なお、ブラカップ１０に備える通気手段については、内側生地１３に通気性の優れた素材を採用することによっても同様の効果を得ることができる。
【００２０】
図３は本考案にかかる粘着式ブラジャーの第２実施形態を示す背面図である。
粘着式ブラジャーは、上述した第１実施形態と同様に肩ひもやバックバンドがなく使用者の胸に貼り付けて使用するタイプのもので、１対のブラカップ２０と、各ブラカップ２０を接続するコネクタ２４を有しており、各ブラカップ２０の内側表面には粘着層２２が形成されている。ブラカップ２０は、上述した第１実施形態と同様に表生地と内側生地の間に中材を介設する構成からなり（図２参照）、ブラカップ２０の内側生地には、シリコン接着剤が接合されている。また、ブラカップ２０の内側生地には、図３に示すように、多数の通気孔２１が設けられている。このため、使用者の皮膚が汗で蒸れにくくなり、快適な使用感が得られる。
【００２１】
図３に示すように、ブラカップ２０の頂部付近の内側生地には、粘着層２２を形成しない部分が設けられており、更にその部分に凹部２３が形成されていることにより、乳頭が押圧を受けて変形するのを回避できるともに、通気性の増加に寄与するため、装着感を向上させることができる。
【００２２】
図４は本考案にかかる粘着式ブラジャーの第３実施形態を示す背面図である。
粘着式ブラジャーは、上述した第１実施形態と同様に肩ひもやバックバンドがなく使用者の胸に貼り付けて使用するタイプのもので、１対のブラカップ３０と、各ブラカップ３０を接続するコネクタ３６を有しており、各ブラカップ３０の内側表面には粘着層３２が形成されている。ブラカップ３０は、上述した第１実施形態と同様に表生地と内側生地の間に中材を介設する構成からなり（図２参照）、ブラカップ３０の内側生地には、シリコン接着剤が接合されている。また、ブラカップ３０の内側生地には、図４に示すように、多数の通気孔３１が設けられ、ブラカップ３０の頂部付近の内側生地には、粘着層３２を形成しない部分が設けられており、更にその部分に凹部３３が形成されている。このため、使用者の皮膚が汗で蒸れにくくなり、快適な使用感が得られる。
【００２３】
図４に示すように、ブラカップ３０の内側表面には、カップ本体の裏面側に向かって緩やかに盛り上がったドーム状の外側隆起部３４と、カップ本体の下縁に沿うようにカーブ状の下側隆起部３５が形成されており、バストの形状を整える効果を得ることができる。
【符号の説明】
【００２４】
１０  ブラカップ
１１  表生地
１２  中材
１３  内側生地
１４  通気孔
１５  粘着層
１６  コネクタ
２０  ブラカップ
２１  通気孔
２２  粘着層
２３  凹部
２４  コネクタ
３０  ブラカップ
３１  通気孔
３２  粘着層
３３  凹部
３４  外側隆起部
３５  下側隆起部
３６  コネクタ
【図１】
0003166801.tif 000003
【図２】
0003166801.tif 000004
【図３】
0003166801.tif 000005
【図４】
0003166801.tif 000006